(57)【特許請求の範囲】
【請求項１】
部品を吸着して基板に搭載する表面実装機であって、
筒状のノズルシャフトと、
前記ノズルシャフトに着脱可能に取り付けられており、前記ノズルシャフトを介して供給される負圧によって前記部品を吸着する吸着ノズルと、
前記ノズルシャフトの内部に装着されている集塵用のフィルタと、
前記ノズルシャフトの内部を撮像するための撮像部と、
制御部と、
を備え、
前記制御部は、前記撮像部によって前記ノズルシャフトの内部を撮像し、前記フィルタが正常状態であるか異常状態であるかを前記撮像部によって撮像された画像に基づいて判断する判断処理を実行し、
前記フィルタの異常状態は、前記フィルタが変形している状態、前記ノズルシャフトの軸線方向における前記フィルタの位置が不良である状態、及び、前記フィルタが逆向きに装着されている状態の少なくとも一つである、表面実装機。
【請求項２】
前記撮像部は、前記ノズルシャフトの前記吸着ノズルが取り付けられる側の開口から前記ノズルシャフトの内部を撮像する、請求項１に記載の表面実装機。
【請求項３】
前記制御部は、前記判断処理で前記フィルタが異常状態であると判断した場合は、フィルタの異常を通知する処理及びフィルタを自動交換する処理の少なくとも一方を実行する、請求項１又は請求項２に記載の表面実装機。
【請求項４】
前記制御部は、前記吸着ノズルの吸着回数が設定回数に達したときに前記判断処理を実行する、請求項１乃至請求項３のいずれか一項に記載の表面実装機。
【請求項５】
前記制御部は、オペレータによって前記判断処理の実行を指示されたときに前記判断処理を実行する、請求項１乃至請求項４のいずれか一項に記載の表面実装機。
【請求項６】
前記制御部は、前記ノズルシャフトに前記吸着ノズルが取り付けられていないときに前記判断処理を実行する、請求項１乃至請求項５のいずれか一項に記載の表面実装機。
【請求項７】
前記ノズルシャフト内のエア圧力を検出するエア圧力センサを備え、
前記制御部は、前記エア圧力センサによって異常なエア圧力が検出されたときに前記判断処理を実行する、請求項１乃至請求項６のいずれか一項に記載の表面実装機。
【請求項８】
部品を吸着して基板に搭載する表面実装機であって、
筒状のノズルシャフトと、
前記ノズルシャフトに着脱可能に取り付けられており、前記ノズルシャフトを介して供給される負圧によって前記部品を吸着する吸着ノズルと、
前記ノズルシャフトの内部に装着されている集塵用のフィルタと、
前記ノズルシャフトの内部を撮像するための撮像部と、
制御部と、
を備え、
前記制御部は、
前記撮像部によって前記ノズルシャフトの内部を撮像し、前記フィルタが正常状態であるか異常状態であるかを前記撮像部によって撮像された画像に基づいて判断する判断処理を実行し、
前記ノズルシャフトに前記フィルタが装着されたときに前記判断処理を実行する、表面実装機。
【請求項９】
部品を吸着して基板に搭載する表面実装機であって、
筒状のノズルシャフトと、
前記ノズルシャフトに着脱可能に取り付けられており、前記ノズルシャフトを介して供給される負圧によって前記部品を吸着する吸着ノズルと、
前記ノズルシャフトの内部に装着されている集塵用のフィルタと、
前記ノズルシャフトの内部を撮像するための撮像部と、
制御部と、
を備え、
前記制御部は、前記撮像部によって前記ノズルシャフトの内部を撮像し、前記フィルタが正常状態であるか異常状態であるかを前記撮像部によって撮像された画像に基づいて判断する判断処理を実行し、
前記判断処理において、前記画像上で前記フィルタの真円度を検出し、検出した真円度と真円の真円度との差の絶対値が第１の基準値以上の場合は前記フィルタが変形している異常状態であると判断する、表面実装機。
【請求項１０】
部品を吸着して基板に搭載する表面実装機であって、
筒状のノズルシャフトと、
前記ノズルシャフトに着脱可能に取り付けられており、前記ノズルシャフトを介して供給される負圧によって前記部品を吸着する吸着ノズルと、
前記ノズルシャフトの内部に装着されている集塵用のフィルタと、
前記ノズルシャフトの内部を撮像するための撮像部と、
制御部と、
を備え、
前記制御部は、前記撮像部によって前記ノズルシャフトの内部を撮像し、前記フィルタが正常状態であるか異常状態であるかを前記撮像部によって撮像された画像に基づいて判断する判断処理を実行し、
前記判断処理において、前記画像上で前記フィルタの大きさを検出し、検出した大きさと前記フィルタが正常状態の場合に検出される大きさとの差の絶対値が第２の基準値以上の場合は、前記フィルタが変形している異常状態、又は、前記ノズルシャフトの軸線方向における前記フィルタの位置が不良である異常状態のいずれかであると判断する、表面実装機。
【請求項１１】
部品を吸着して基板に搭載する表面実装機であって、
筒状のノズルシャフトと、
前記ノズルシャフトに着脱可能に取り付けられており、前記ノズルシャフトを介して供給される負圧によって前記部品を吸着する吸着ノズルと、
前記ノズルシャフトの内部に装着されている集塵用のフィルタと、
前記ノズルシャフトの内部を撮像するための撮像部と、
制御部と、
前記ノズルシャフト内のエア圧力を検出するエア圧力センサと、
を備え、
前記制御部は、前記撮像部によって前記ノズルシャフトの内部を撮像し、前記フィルタが正常状態であるか異常状態であるかを前記撮像部によって撮像された画像に基づいて判断する判断処理を実行し、
前記判断処理において、前記エア圧力センサによってエア圧力を検出し、検出したエア圧力が第３の基準値未満である場合は前記フィルタが取り付けられていない異常状態であると判断する、表面実装機。
【請求項１２】
前記制御部は、前記判断処理において、前記画像上で前記フィルタの全体部画素濃度を検出し、検出した全体部画素濃度が第１の基準濃度より暗い場合は前記フィルタが取り付けられていない異常状態、又は、前記フィルタが汚れている異常状態のいずれかであると判断する、請求項１乃至請求項１１のいずれか一項に記載の表面実装機。
【請求項１３】
前記フィルタはカップ状に形成されており、前記ノズルシャフトの前記吸着ノズルが取り付けられる側の開口側とは逆側に向かって開口する姿勢で前記ノズルシャフトの内部に装着されるものであり、
前記制御部は、前記判断処理において、前記画像上で前記フィルタの中央部画素濃度を検出し、検出した中央部画素濃度が第２の基準濃度より暗い場合は前記フィルタが逆向きに装着されている異常状態、前記フィルタが取り付けられていない異常状態、又は、前記フィルタが汚れている異常状態のいずれかであると判断する、請求項１乃至請求項１２のいずれか一項に記載の表面実装機。
【発明の詳細な説明】
【技術分野】
【０００１】
本明細書で開示する技術は表面実装機に関する。
【背景技術】
【０００２】
従来、部品を吸着及び開放する実装ヘッドを用いて基板に部品を実装する表面実装機において、実装ヘッドに集塵用のフィルタが装着されているものが知られている（例えば、特許文献１参照）。【０００３】
具体的には、特許文献１に記載の部品実装装置は、装着ヘッドに装填して使用される吸着ノズルにエアフィルタが設けられている。そして、当該部品実装装置は、装着ヘッドから吸着ノズルを取り外してノズルステーションに格納し、ノズルステーションに格納されている吸着ノズルのエアフィルタに対して上方から当てた光の反射光の輝度を輝度センサによって検出し、検出した輝度に基づいてエアフィルタの汚れ状態を検出している。
【先行技術文献】
【特許文献】
【０００４】
【特許文献１】特開２００３−１０１２９２号公報
【発明の概要】
【発明が解決しようとする課題】
【０００５】
ところで、実装ヘッドが筒状のノズルシャフトと当該ノズルシャフトに着脱可能に取り付けられている吸着ノズルとで構成されており、集塵用のフィルタが吸着ノズルではなくノズルシャフトに装着されている場合もある。しかしながら、特許文献１に記載の部品実装装置は吸着ノズルに設けられているフィルタの汚れ状態を検出するものであり、ノズルシャフトにフィルタが装着されている場合には適用できないという問題がある。【０００６】
本明細書では、ノズルシャフトに装着されているフィルタの状態を判断することができる技術を開示する。
【課題を解決するための手段】
【０００７】
本明細書で開示する表面実装機は、部品を吸着して基板に搭載する表面実装機であって、筒状のノズルシャフトと、前記ノズルシャフトに着脱可能に取り付けられており、前記ノズルシャフトを介して供給される負圧によって前記部品を吸着する吸着ノズルと、前記ノズルシャフトの内部に装着されている集塵用のフィルタと、前記ノズルシャフトの内部を撮像するための撮像部と、制御部と、を備え、前記制御部は、前記撮像部によって前記ノズルシャフトの内部を撮像し、前記フィルタが正常状態であるか異常状態であるかを前記撮像部によって撮像された画像に基づいて判断する判断処理を実行する。【０００８】
上記の表面実装機によると、ノズルシャフトに装着されているフィルタの状態を判断することができる。【０００９】
また、前記撮像部は、前記ノズルシャフトの前記吸着ノズルが取り付けられる側の開口から前記ノズルシャフトの内部を撮像してもよい。【００１０】
フィルタにおいてノズルシャフトの吸着ノズルが取り付けられる側の開口側は汚れに晒される側である。上記の表面実装機によると、ノズルシャフトの吸着ノズルが取り付けられる側の開口からノズルシャフトの内部を撮像するので、フィルタの汚れの状態を精度よく判断することができる。【００１１】
また、前記制御部は、前記判断処理で前記フィルタが異常状態であると判断した場合は、フィルタの異常を通知する処理及びフィルタを自動交換する処理の少なくとも一方を実行してもよい。【００１２】
上記の表面実装機によると、例えばフィルタの異常を通知する処理を実行する場合はフィルタが異常状態であることをオペレータに知らせることができるので、フィルタが異常状態のままで部品が実装されてしまうことによる実装不良を抑制することができる。また、フィルタを自動交換する処理を実行する場合は、フィルタを自動で交換することにより、フィルタが異常状態のままで部品が実装されてしまうことによる実装不良を抑制することができる。【００１３】
また、前記制御部は、前記ノズルシャフトに前記フィルタが装着されたときに前記判断処理を実行してもよい。【００１４】
上記の表面実装機によると、フィルタが装着されたときに判断処理を実行するので、異常状態のフィルタを用いて部品が実装されてしまわないようにすることができる。【００１５】
また、前記制御部は、前記吸着ノズルの吸着回数が設定回数に達したときに前記判断処理を実行してもよい。【００１６】
上記の表面実装機によると、異常状態のフィルタが使用され続けてしまうことに制限をかけることができる。【００１７】
また、前記制御部は、オペレータによって前記判断処理の実行を指示されたときに前記判断処理を実行してもよい。【００１８】
上記の表面実装機によると、オペレータはフィルタが正常状態であるか異常状態であるかを必要に応じて表面実装機に判断させることができる。【００１９】
また、前記制御部は、前記ノズルシャフトに前記吸着ノズルが取り付けられていないときに前記判断処理を実行してもよい。【００２０】
ノズルシャフトの内部を撮像するためには吸着ノズルを取り外す必要があるが、ノズルシャフトの内部を撮像するためだけに吸着ノズルを取り外すと効率が悪い。上記の表面実装機によると、何らかの理由で吸着ノズルが取り付けられていないときに判断処理を実行することにより、吸着ノズルが正常状態であるか異常状態であるかを効率よく判断することができる。【００２１】
また、前記ノズルシャフト内のエア圧力を検出するエア圧力センサを備え、前記制御部は、前記エア圧力センサによって異常なエア圧力が検出されたときに前記判断処理を実行してもよい。【００２２】
フィルタが異常状態の場合はエア圧力センサによって異常なエア圧力が検出される可能性が高い。上記の表面実装機によると、エア圧力センサによって異常なエア圧力が検出されたときに判断処理を実行するので、異常状態のフィルタを用いて部品が実装されてしまうことを抑制することができる。【００２３】
また、前記制御部は、前記判断処理において、前記画像上で前記フィルタの真円度を検出し、検出した真円度と真円の真円度との差の絶対値が第１の基準値以上の場合は前記フィルタが変形している異常状態であると判断してもよい。【００２４】
上記の表面実装機によると、検出した真円度と真円の真円度とを比較することにより、フィルタが変形している異常状態を判断することができる。【００２５】
また、前記制御部は、前記判断処理において、前記画像上で前記フィルタの大きさを検出し、検出した大きさと前記フィルタが正常状態の場合に検出される大きさとの差の絶対値が第２の基準値以上の場合は、前記フィルタが変形している異常状態、又は、前記ノズルシャフトの軸線方向における前記フィルタの位置が不良である異常状態のいずれかであると判断してもよい。【００２６】
上記の表面実装機によると、検出したフィルタの大きさとフィルタが正常状態の場合に検出される大きさとを比較することにより、フィルタが変形している異常状態、又は、ノズルシャフトの軸線方向におけるフィルタの位置が不良である異常状態のいずれかであることを判断することができる。【００２７】
また、前記制御部は、前記判断処理において、前記画像上で前記フィルタの全体部画素濃度を検出し、検出した全体部画素濃度が第１の基準濃度より暗い場合は前記フィルタが取り付けられていない異常状態、又は、前記フィルタが汚れている異常状態のいずれかであると判断してもよい。【００２８】
上記の表面実装機によると、検出した全体部画素濃度から、フィルタが取り付けられていない異常状態、又は、フィルタが汚れている異常状態のいずれかであることを判断することができる。【００２９】
また、前記フィルタはカップ状に形成されており、前記ノズルシャフトの前記吸着ノズルが取り付けられる側の開口側とは逆側に向かって開口する姿勢で前記ノズルシャフトの内部に装着されるものであり、前記制御部は、前記判断処理において、前記画像上で前記フィルタの中央部画素濃度を検出し、検出した中央部画素濃度が第２の基準濃度より暗い場合は前記フィルタが逆向きに装着されている異常状態、前記フィルタが取り付けられていない異常状態、又は、前記フィルタが汚れている異常状態のいずれかであると判断してもよい。【００３０】
上記の表面実装機によると、検出した中央部画素濃度から、フィルタが逆向きに装着されている異常状態、フィルタが取り付けられていない異常状態、又は、フィルタが汚れている異常状態のいずれかであることを判断することができる。【００３１】
また、前記ノズルシャフト内のエア圧力を検出するエア圧力センサを備え、前記制御部は、前記判断処理において、前記エア圧力センサによってエア圧力を検出し、検出したエア圧力が第３の基準値未満である場合は前記フィルタが取り付けられていない異常状態であると判断してもよい。【００３２】
上記の表面実装機によると、エア圧力センサによって検出されたエア圧力から、フィルタが取り付けられていない異常状態であるか否かを判断することができる。
【図面の簡単な説明】
【００３３】
【図１】実施形態１に係る表面実装機の上面図
【図２】ヘッドユニット及びヘッド搬送部を前側から見た側面図
【図３】ノズルシャフト、吸着ノズル及びフィルタの断面図
【図４】フィルタの斜視図
【図５】表面実装機の電気的構成を示すブロック図
【図６】フィルタの自動交換（取り外し）を説明するための模式図
【図７】フィルタの自動交換（取り付け）を説明するための模式図
【図８】フィルタの状態と画像及び特徴量との関係を説明するための模式図
【図９】フィルタチェックのフローチャート
【図１０】フィルタチェックを実行するタイミングを説明するためのフローチャート
【図１１】フィルタチェックを実行するタイミングを説明するためのフローチャート
【図１２】フィルタチェックを実行するタイミングを説明するためのフローチャート
【図１３】フィルタチェックを実行するタイミングを説明するためのフローチャート
【図１４】フィルタチェックを実行するタイミングを説明するためのフローチャート
【図１５】実施形態２に係るフィルタの状態と特徴量との関係を説明するための模式図
【発明を実施するための形態】
【００３４】
＜実施形態１＞
実施形態１を図１ないし図１４によって説明する。以降の説明では図１に示す左右方向をＸ軸方向、前後方向をＹ軸方向、図２に示す上下方向をＺ軸方向という。また、以降の説明では図１に示す右側を上流側、左側を下流側という。また、以降の説明では同一の構成部材には一部を除いて図面の符号を省略している場合がある。
【００３５】
（１）表面実装機の全体構成
図１〜図１４を参照して、実施形態１に係る表面実装機１の全体構成について説明する。表面実装機１は部品Ｅ（図１参照）を吸着して図示しないプリント基板に搭載するものであり、図１に示す基台１０、搬送コンベア１１、４つの部品供給装置１２、ヘッドユニット１３、ヘッド搬送部１４、２つの部品撮像カメラ１５（撮像部の一例）、ノズルチェンジャー１６、フィルタチェンジャー１７、図５に示す制御部５１、操作部５２、ノズル撮像カメラ１９などを備えている。
【００３６】
図１に示すように、基台１０は平面視長方形状をなすとともに上面が平坦とされている。図１において二点鎖線で示す矩形枠Ａはプリント基板に部品Ｅを実装するときの作業位置を示している。
【００３７】
搬送コンベア１１はプリント基板をＸ軸方向の上流側から作業位置Ａに搬入し、作業位置Ａで部品Ｅが実装されたプリント基板を下流側に搬出するものである。搬送コンベア１１はＸ軸方向に循環駆動する一対のコンベアベルト１１Ａ及び１１Ｂ、コンベアベルト１１Ａ及び１１Ｂを駆動するコンベア駆動モータ６３（図５参照）などを備えている。
【００３８】
部品供給装置１２は搬送コンベア１１のＹ軸方向の両側においてＸ軸方向に並んで２箇所ずつ、計４箇所に配されている。これらの部品供給装置１２には複数のフィーダ２０がＸ軸方向に横並び状に整列して取り付けられている。
各フィーダ２０は所謂テープフィーダであり、複数の部品Ｅが収容された部品テープ（不図示）が巻回されたリール（不図示）、及び、リールから部品テープを引き出す電動式の送出装置（不図示）等を備えており、搬送コンベア１１側の端部に設けられた部品供給位置から部品Ｅを一つずつ供給する。
【００３９】
なお、ここではテープフィーダを用いて部品Ｅを供給する部品供給装置１２を例に説明するが、部品供給装置１２は部品Ｅが載置されているトレイや半導体ウェハを供給するものであってもよい。
【００４０】
ヘッドユニット１３は複数（ここでは５個）の実装ヘッド２１を昇降可能に且つ軸周りに回転可能に支持するものである。本実施形態に係るヘッドユニット１３は所謂インライン型であり、複数の実装ヘッド２１がＸ軸方向に並んで配されている。また、ヘッドユニット１３にはこれらの実装ヘッド２１を個別に昇降させるＺ軸サーボモータ６１（図５参照）やこれらの実装ヘッド２１を一斉に軸周りに回転させるＲ軸サーボモータ６２（図５参照）などが設けられている。
【００４１】
図２に示すように、各実装ヘッド２１はノズルシャフト２２、ノズルシャフト２２の下端に着脱可能に取り付けられている吸着ノズル２３、及び、ノズルシャフト２２の内部に装着されている図示しない集塵用のフィルタ３０（図４参照）を有している。吸着ノズル２３にはノズルシャフト２２を介して空気供給装置から負圧及び正圧が供給される。吸着ノズル２３は負圧が供給されることによって部品Ｅを吸着し、正圧が供給されることによってその部品Ｅを開放する。
【００４２】
また、図２に示すように、各ノズルシャフト２２にはそれぞれノズルシャフト２２内のエア圧力を検出するエア圧力センサ１８が設けられている。
また、ヘッドユニット１３には吸着ノズル２３や吸着ノズル２３に吸着されている部品Ｅを水平方向から撮像する図示しないノズル撮像カメラ１９（図５参照）が設けられている。ノズル撮像カメラ１９は吸着ノズル２３に吸着されている部品Ｅの姿勢やノズルシャフト２２に吸着ノズル２３が取り付けられているか否かなどを判断するためのものである。
【００４３】
なお、ここではインライン型のヘッドユニット１３を例に説明したが、ヘッドユニット１３は例えば複数の実装ヘッド２１が円周上に配列された所謂ロータリーヘッドであってもよい。
【００４４】
図１に示すヘッド搬送部１４はヘッドユニット１３を所定の可動範囲内でＸ軸方向及びＹ軸方向に搬送するものである。ヘッド搬送部１４はヘッドユニット１３をＸ軸方向に往復移動可能に支持しているビーム２４、ビーム２４をＹ軸方向に往復移動可能に支持している一対のＹ軸ガイドレール２５、ヘッドユニット１３をＸ軸方向に往復移動させるＸ軸サーボモータ５９、ビーム２４をＹ軸方向に往復移動させるＹ軸サーボモータ６０などを備えている。
【００４５】
部品撮像カメラ１５は吸着ノズル２３に吸着されている部品Ｅを下から撮像して部品Ｅの角度や部品Ｅの形状などを認識するためのものである。部品撮像カメラ１５は部品Ｅを照射するＬＥＤなどの光源や撮像素子などを有しており、撮像面を上に向けた姿勢で設けられている。
また、詳しくは後述するが、部品撮像カメラ１５はノズルシャフト２２に装着されているフィルタ３０の状態を判断するためにも用いられる。
【００４６】
ノズルチェンジャー１６は吸着ノズル２３を自動交換するためのものであり、後側の部品供給装置１２と搬送コンベア１１との間にＸ軸方向に延びる姿勢で設けられている。ノズルチェンジャー１６は吸着ノズル２３が格納される複数の格納穴を有するノズルステーション、シャッタ、シャッタをスライドさせるシャッタ駆動部などを有している。
【００４７】
フィルタチェンジャー１７はノズルシャフト２２に装着されているフィルタ３０を自動交換するためのものであり、上に凸となる姿勢で配されている複数の凸部材１７Ａ（図６参照）を有している。フィルタチェンジャー１７を用いたフィルタ３０の自動交換についての説明は後述する。
【００４８】
（２）ノズルシャフト、フィルタ、及び、吸着ノズル
次に、図３、図４及び図６（Ａ）を参照して、ノズルシャフト２２、フィルタ３０及び吸着ノズル２３についてより具体的に説明する。
図３に示すように、ノズルシャフト２２は円筒状に形成されており、上下方向に延びる姿勢でヘッドユニット１３に支持されている。ノズルシャフト２２の下端部は内径が大きくなっており、内部に集塵用のフィルタ３０が装着されている。ここでノズルシャフト２２の下側の開口２２Ａは「ノズルシャフトの吸着ノズルが取り付けられる側の開口」の一例である。
【００４９】
図６（Ａ）に示すように、ノズルシャフト２２の下端部の外周壁には吸着ノズル２３が取り外されたときにフィルタ３０を外に露出させる開口２２Ｂが形成されている。開口２２Ｂはフィルタ３０を自動交換する際にフィルタ３０を取り外すために設けられている。開口２２Ｂは吸着ノズル２３が取り付けられているときは吸着ノズル２３によって塞がれた状態になる。
図４に示すように、フィルタ３０は発泡剤などによってカップ状（言い換えると有底筒状）に形成されており、上側に開口する姿勢（ノズルシャフトの吸着ノズルが取り付けられる側の開口側とは逆側に向かって開口する姿勢の一例）でノズルシャフト２２の下端部の内部に装着されている。
【００５０】
（３）表面実装機の電気的構成
図５に示すように、表面実装機１は制御部５１及び操作部５２を備えている。制御部５１は演算処理部５３、モータ制御部５４、記憶部５５、画像処理部５６、外部入出力部５７、フィーダ通信部５８などを備えている。
【００５１】
演算処理部５３はＣＰＵ、ＲＯＭ、ＲＡＭなどを備えており、ＲＯＭに記憶されている制御プログラムを実行することによって表面実装機１の各部を制御する。
モータ制御部５４は演算処理部５３の制御の下でＸ軸サーボモータ５９、Ｙ軸サーボモータ６０、Ｚ軸サーボモータ６１、Ｒ軸サーボモータ６２、コンベア駆動モータ６３などの各モータを回転させる。
【００５２】
記憶部５５には各種のデータが記憶されている。各種のデータには生産が予定されているプリント基板の生産枚数や品種に関する情報、プリント基板に実装される部品Ｅの種類や各部品Ｅの実装位置に関する情報、部品供給装置１２に保持された部品Ｅの数や種類に関する情報、部品Ｅの実装順序に関する情報等が含まれている。
【００５３】
画像処理部５６は部品撮像カメラ１５やノズル撮像カメラ１９から出力される画像信号が取り込まれるように構成されており、出力された画像信号に基づいてデジタル画像を生成する。
外部入出力部５７はいわゆるインターフェースであり、表面実装機１の本体に設けられている各種センサ類６４（エア圧力センサ１８を含む）から出力される検出信号が取り込まれるように構成されている。また、外部入出力部５７は演算処理部５３から出力される制御信号に基づいて各種アクチュエータ類６５に対する動作制御を行うように構成されている。
【００５４】
フィーダ通信部５８はフィーダ２０に接続されており、フィーダ２０を統括して制御する。
操作部５２は液晶ディスプレイなどの表示装置や、タッチパネル、キーボード、マウスなどの入力装置を備えている。作業者は操作部５２を操作して後述するフィルタチェックの実行の指示などを行うことができる。
【００５５】
（４）フィルタチェンジャーを用いたフィルタの自動交換
フィルタの自動交換ではフィルタ３０の取り外し及びフィルタ３０の取り付けが自動で行われる。
先ず、図６を参照して、フィルタ３０の取り外しについて説明する。フィルタ３０の取り外しでは、制御部５１は図６（Ａ）に示すように実装ヘッド２１を凸部材１７Ａの上方に移動させる。次に、制御部５１は図６（Ｂ）に示すように実装ヘッド２１を下降させ、凸部材１７Ａによってフィルタ３０を圧縮する。次に、制御部５１は図６（Ｃ）に示すように凸部材１７Ａの上端が開口２２Ｂの下端近傍に位置する高さまで実装ヘッド２１を上昇させる。次に、制御部５１は図６（Ｄ）に示すように空気供給装置に正圧を供給させる。正圧を供給すると圧縮されたフィルタ３０が開口２２Ｂから外に吹き飛ばされる。これによりフィルタ３０が取り外される。
【００５６】
次に、図７を参照して、フィルタ３０の取り付けについて説明する。図７（Ａ）に示すように、フィルタ３０の取り付けでは先ず凸部材１７Ａの上にフィルタ３０が載置される。フィルタ３０の載置はオペレータが手作業で行ってもよいし、フィルタ３０を載置する機構を設けて自動で載置してもよい。そして、図７（Ｂ）に示すように制御部５１はその状態で実装ヘッド２１を下降させ、フィルタ３０をノズルシャフト２２の所定の位置まで押し込む。これによりフィルタ３０が取り付けられる。
【００５７】
（５）フィルタの状態の判断
フィルタ３０は汚れたり変形したりすることによって正常状態でない（言い換えると異常状態である）場合がある。フィルタ３０が異常状態であるとフィルタ３０が性能を発揮できなくなってしまい、部品Ｅの吸着不良や装着不良（以下、吸装着不良という）が生じてしまうことがある。
【００５８】
そこで、制御部５１は予め設定されているタイミングが到来するとフィルタチェック（判断処理の一例）を実行してフィルタ３０の状態を判断する。フィルタチェックを実行するタイミングには複数のタイミングがあるが、それらのタイミングについての説明は後述する。
フィルタチェックでは、制御部５１は吸着ノズル２３が取り付けられていない状態で部品撮像カメラ１５によってノズルシャフト２２の内部を下方から撮像し、撮像した画像を解析して特徴量を検出する。そして、制御部５１は検出した特徴量からフィルタ３０の状態を判断する。
【００５９】
なお、詳しくは後述するが、本実施形態では制御部５１はノズルシャフト２２に設けられているエア圧力センサ１８によってシャフト内エア負圧（エア圧力の一例）を検出し、上述した画像に加えてシャフト内エア負圧も用いてフィルタ３０の状態を判断する。
【００６０】
（５−１）フィルタの状態と撮像される画像及び特徴量との関係
先ず、図８を参照して、フィルタ３０の状態と撮像される画像との関係について説明する。なお、図８ではノズルシャフト２２の形状を簡略化して示している。フィルタ３０の状態には正常状態と異常状態とがある。ここでは異常状態として変形、位置不良、上下反対、取り付け忘れ及び汚れを例に説明する。なお、ここで説明する異常状態は一例であり、フィルタの異常状態はこれらに限られるものではない。
【００６１】
フィルタ３０が正常状態の場合の画像において白い部分はフィルタ３０を表している。フィルタ３０が正常状態の場合は撮像された画像においてフィルタ３０は概ね所定の直径を有する円形となる。
【００６２】
変形（フィルタが変形している異常状態の一例）はフィルタ３０が傾いていたり潰れていたりすることによって下から見て円形以外の不定形な形状になっている異常状態である。例えばフィルタの自動交換で押し込み過ぎるとこのような状態になることがある。フィルタ３０が変形している場合は撮像された画像においてフィルタ３０（白で表されている領域）が円形以外の不定形な形状となる。
【００６３】
位置不良（ノズルシャフトの軸線方向におけるフィルタの位置が不良である異常状態の一例）はフィルタ３０が正規の位置まで押し込まれておらず、上下方向の位置が正規の位置より下にある異常状態である。位置不良の場合はフィルタ３０と部品撮像カメラ１５との距離が近くなるので撮像された画像においてフィルタ３０の直径が正常状態より大きくなり、且つ、フィルタ３０が全体に明るくなる。
【００６４】
上下反対（フィルタが逆向きに装着されている異常状態の一例）はフィルタ３０が上下反対に装着されている異常状態である。上下反対に装着されている場合はフィルタ３０の中央部分と部品撮像カメラ１５との距離が遠くなるので撮像された画像においてフィルタ３０の中央部が暗くなる。
【００６５】
取り付け忘れ（フィルタが取り付けられていない異常状態の一例）はフィルタ３０が取り付けられていない異常状態である。例えばフィルタの自動交換の際にオペレータが凸部材１７Ａの上にフィルタ３０を載置するのを忘れてしまった場合は取り付け忘れとなる。取り付け忘れの場合は部品撮像カメラ１５から出射された光がフィルタ３０によって反射されないので画像が全体に暗くなり、フィルタ３０の輪郭を認識することができない。
【００６６】
汚れ（フィルタが汚れている異常状態の一例）は吸装着が繰り返されてフィルタ３０の下面に塵などが付着している異常状態である。汚れの場合は部品撮像カメラ１５から出射された光がフィルタ３０によって反射され難くなるので画像が全体に暗くなり、フィルタ３０の輪郭を認識することが困難になる。
【００６７】
次に、図８を参照して、フィルタ３０の状態と特徴量との関係について説明する。ここでは特徴量として真円度、直径、全体部画素濃度、中央部画素濃度及びシャフト内エア負圧を例に説明する。真円度、直径、全体部画素濃度及び中央部画素濃度は画像を解析することによって検出される特徴量であり、シャフト内エア負圧はエア圧力センサ１８によって検出される特徴量である。
【００６８】
真円度はフィルタ３０が真円であるか否かを表すものである。本実施形態では制御部５１は以下の式１によって真円度を計算する。
【数１】
0006794529.tif 000002
・・・  式１
【００６９】
ここでｃはフィルタ３０の周囲長、Ｓはフィルタ３０の面積である。フィルタ３０が真円の場合は真円度が一定値となる。このため、制御部５１は計算した真円度と当該一定値との差の絶対値と予め設定されている第１の基準値とを比較し、差が第１の基準値未満の場合は真円度を良と判断し、第１の基準値以上の場合は真円度を不良と判断する。図８において「〇」は良、「×」は不良を意味している。
【００７０】
例えばフィルタ３０が変形している場合は真円でないので差が第１の基準値以上となり、真円度が「×」となる。なお、取り付け忘れや汚れの場合はフィルタ３０の輪郭を認識できないので真円度は測定不可となる。
なお、フィルタ３０が真円であるか否かを判断する方法は上述した方法に限られるものではなく、適宜の方法で判断することができる。
【００７１】
直径（フィルタの大きさの一例）はフィルタ３０の直径が正常状態の場合の直径と一致するか否かを表すものである。本実施形態では制御部５１は以下の式２によってフィルタ３０の直径を計算する。
【数２】
0006794529.tif 000003
・・・  式２
【００７２】
ここでＬｎ（ｎは１〜Ｎの整数）はフィルタ３０の輪郭の重心から輪郭上の各点までの距離である。フィルタ３０が正常状態の場合は計算される直径が予め記憶されている直径と略一致する。このため、制御部５１は計算した直径と予め記憶されている直径との差の絶対値と第２の基準値とを比較し、差が第２の基準値未満の場合は直径を「〇」とし、第２の基準値以上の場合は直径を「×」とする。
【００７３】
例えばフィルタ３０が変形している場合は直径が小さくなるので差が第２の基準値以上となる。また、位置不良の場合も直径が大きくなるので差が第２の基準値以上となる。このため、これらは直径が「×」となる。なお、取り付け忘れや汚れの場合はフィルタ３０の輪郭を認識できないので直径は測定不可となる。
【００７４】
全体部画素濃度はフィルタ３０の輪郭の重心から半径ｒ内の範囲が明るいか否かを表すものである。ここで半径ｒは正常状態のフィルタ３０の半径のことをいう。制御部５１は半径ｒ内にある画素の平均濃度（あるいは合計濃度でもよい）と予め設定されている第１の基準濃度とを比較し、平均濃度が第１の基準濃度以上の場合は全体部画素濃度を「明るい」とし、第１の基準濃度未満の場合は全体部画素濃度を「暗い」とする。ここで画素の濃度は例えば０（黒）〜２５５（白）の２５６階調で表され、２５５に近いほど明るいものとする。
例えば取り付け忘れや汚れの場合は全体に暗い画像になるので第１の基準濃度未満となり、全体部画素濃度が「暗い」となる。
【００７５】
中央部画素濃度はフィルタ３０の輪郭の重心から半径ｒ／３内の範囲が明るいか否かを表すものである。制御部５１は半径ｒ／３内の画素の平均濃度（あるいは合計濃度でもよい）と第２の基準濃度とを比較し、平均濃度が第２の基準濃度以上の場合は中央部画素濃度を「明るい」とし、第２の基準濃度未満の場合は中央部画素濃度を「暗い」とする。
【００７６】
例えば上下反対の場合は中央部が暗い画像になるので第２の基準濃度未満となり、中央部画素濃度が「暗い」となる。取り付け忘れや汚れの場合も全体に暗い画像になるので第２の基準濃度未満となり、中央部画素濃度が「暗い」となる。
なお、ここでは中央部として半径ｒ／３内の範囲を例に説明したが、中央部は半径ｒ／３内の範囲に限定されるものではなく、フィルタ３０の形状に応じて適宜に設定することができる。
【００７７】
シャフト内エア負圧は前述したようにノズルシャフト２２に設けられているエア圧力センサ１８によって検出される圧力値である。取り付け忘れの場合はノズルシャフト２２に負圧を供給してもシャフト内エア負圧が高くならない。これに対し、取り付け忘れ以外の場合はシャフト内エア負圧が高くなる。制御部５１はシャフト内エア負圧と予め設定されている第３の基準値とを比較し、シャフト内エア負圧が第３の基準値未満の場合はシャフト内エア負圧を「小さい」とし、第３の基準値以上の場合はシャフト内エア負圧を「通常」とする。
【００７８】
図８に示すように、制御部５１は真円度、直径、全体部画素濃度及び中央部画素濃度からフィルタ３０が正常状態であるか異常状態であるかを判断することができる。そして、制御部５１は、異常状態の場合は変形、位置不良、上下反対又は「取り付け忘れ又は汚れ」のいずれの異常状態であるかを判断することができる。例えば真円度が不良の場合は変形している異常状態であると判断することができる。
ここで「取り付け忘れ又は汚れ」としたのは、画像だけでは取り付け忘れであるか汚れであるかを判断できないからである。取り付け忘れであるか汚れであるかはシャフト内エア負圧が「小さい」か「通常」であるかによって判断することができる。
【００７９】
（５−２）フィルタチェック
次に、図９を参照して、フィルタチェックのフローについて説明する。フィルタチェックでは、制御部５１はフィルタ３０の状態を判断し、異常状態の場合にはその異常状態に対応する状態フラグをオンにする。ここでは状態フラグとして変形フラグ、位置不良フラグ、上下反対フラグ、取り付け忘れフラグ及び汚れフラグの５つがあり、オフは正常状態、オンは異常状態を意味するものとする。
【００８０】
ここで、フィルタチェックはノズルシャフト２２に吸着ノズル２３が取り付けられていない状態で実行される。ここではノズルシャフト２２に吸着ノズル２３が取り付けられていないという前提で説明する。
【００８１】
Ｓ１０１では、制御部５１は各状態フラグをオフ（すなわち正常状態）に初期化する。
Ｓ１０２では、制御部５１はヘッドユニット１３を制御してノズルシャフト２２を部品撮像カメラ１５の上方に移動させ、部品撮像カメラ１５によってノズルシャフト２２の内部を下方から撮像する。
【００８２】
Ｓ１０３では、制御部５１は撮像した画像を解析してフィルタ３０の特徴量（真円度、直径、全体部画素濃度及び中央部画素濃度）を計算する。
Ｓ１０４では、制御部５１は計算した特徴量に基づいてフィルタ状態一次判定を行う。フィルタ状態一次判定では、制御部５１はフィルタ３０の状態が正常状態、変形、位置不良、上下反転、又は、「取り付け忘れ又は汚れ」のいずれであるかを判断する。
【００８３】
Ｓ１０５では、制御部５１はＳ１０４の判断結果からフィルタ３０が異常状態（すなわち変形、位置不良、上下反転、又は、「取り付け忘れ又は汚れ」）であるか否かを判定し、異常状態ではない場合（すなわち正常状態の場合）は本処理を終了し、異常状態である場合はＳ１０６に進む。
Ｓ１０６では、制御部５１は異常状態が「取り付け忘れ又は汚れ」であるか否かを判断し、「取り付け忘れ又は汚れ」の場合はＳ１０７に進み、それ以外の場合（すなわち変形、位置不良、又は、上下反対の場合）はＳ１０８に進む。
【００８４】
Ｓ１０７では、制御部５１はフィルタ状態二次判定を行う。フィルタ状態二次判定では、制御部５１は空気供給装置を制御してノズルシャフト２２に負圧を供給し、エア圧力センサ１８によってシャフト内エア負圧を検出する。そして、制御部５１はシャフト内エア負圧が第３の基準値未満の場合は取り付け忘れと判断し、第３の基準値以上の場合は汚れと判断する。
Ｓ１０８では、制御部５１はノズルシャフト２２の５つの状態フラグのうち判断した異常状態に対応する状態フラグをオンにする。
【００８５】
（５−３）フィルタチェックを実行するタイミング
次に、フィルタチェックを実行するタイミングについて説明する。ここではフィルタチェックを実行するタイミングとして以下の５つのタイミングを例に説明する。
【００８６】
（ａ）フィルタの自動交換によってノズルシャフト２２にフィルタ３０が装着された（あるいは交換された）とき
（ｂ）吸着ノズル２３の吸着回数が設定回数に達したとき
（ｃ）オペレータによってフィルタチェックの実行を指示されたとき
（ｄ）吸着ノズル２３の取り付け確認によってノズルシャフト２２に吸着ノズル２３が取り付けられていないことが検知されたとき
（ｅ）エア圧力センサ１８によって異常なシャフト内エア負圧が検出されたとき
【００８７】
以下、各タイミングが到来したときに制御部５１によって実行される処理について説明する。なお、理解を容易にするため、以降の説明ではヘッドユニットに設けられている実装ヘッドの数は１本だけであるとして説明する。また、以降の説明では既に説明した処理と実質的に同一の処理には同一の符号を付して説明を省略する。
【００８８】
先ず、図１０を参照して、「（ａ）フィルタの自動交換によってノズルシャフト２２にフィルタ３０が装着された（あるいは交換された）とき」について説明する。
ここで、フィルタの自動交換はオペレータが操作部５２を操作してフィルタ３０の自動交換を指示した場合に実行してもよいし、表面実装機１の運転時間が規定時間に達した場合に実行してもよいし、吸装着動作を行った回数が設定回数に達した場合に実行してもよい。どのような場合にフィルタ３０の自動交換を実行するかは適宜に決定することができる。
【００８９】
Ｓ２０１では、制御部５１はフィルタ３０を自動交換する。
Ｓ２０２では、制御部５１はフィルタチェックを実行する。
Ｓ２０３では、制御部５１はいずれかの状態フラグがオン（異常状態）であるか否かを判断し、いずれかの状態フラグがオンの場合はＳ２０４に進み、いずれの状態フラグもオフ（正常状態）である場合は本処理を終了する。
【００９０】
Ｓ２０４では、制御部５１はオペレータにフィルタ３０の異常を通知する処理、又は、フィルタ３０を自動交換する処理を実行する。異常の通知は適宜の方法で行うことができる。例えば表示装置に警告メッセージを表示させることによって行ってもよいし、警告音を発することによって行ってもよい。なお、制御部５１はフィルタ３０の異常を通知する処理及びフィルタを自動交換する処理の両方を実行してもよい。
【００９１】
次に、図１１を参照して、「（ｂ）吸着ノズル２３の吸着回数が設定回数に達したとき」について説明する。以下に説明する処理は吸着ノズル２３によってプリント基板に１つの部品Ｅを実装する毎に実行される。
Ｓ３０１では、制御部５１は吸着回数に１を加算する。
Ｓ３０２では、制御部５１は吸着回数が設定回数に達したか否かを判断し、達していない場合は本処理を終了し、達している場合はＳ３０３に進む。
【００９２】
Ｓ３０３では、制御部５１はノズルシャフト２２に装着されている吸着ノズル２３を取り外してノズルステーションに格納する。
Ｓ２０２〜Ｓ２０４の処理は前述した通りであるので説明を省略する。
Ｓ３０４では、制御部５１はノズルシャフト２２に吸着ノズル２３を取り付ける。
【００９３】
次に、図１２を参照して、「（ｃ）オペレータによってフィルタチェックの実行が指示されたとき」について説明する。
Ｓ４０１では、制御部５１はノズルシャフト２２に装着されている吸着ノズル２３を取り外してノズルステーションに格納する。
Ｓ２０２〜Ｓ２０４及びＳ３０４の処理は前述したとおりであるので説明を省略する。
【００９４】
次に、図１３を参照して、「（ｄ）吸着ノズル２３の取り付け確認によってノズルシャフト２２に吸着ノズル２３が取り付けられていないことが検知されたとき」について説明する。
ここで、吸着ノズル２３の取り付け確認は表面実装機１の運転開始時に毎回行ってもよいし、無用な確認を削減するために、表面実装機１が停止している間にカバーが開けられた場合のみ運転開始時に行ってもよい。これは、カバーが開けられていなければ吸着ノズル２３が取り外されている可能性は低いので取り付け確認を行う必要はないからである。
【００９５】
あるいは、表面実装機１が非常停止から復帰した場合に吸着ノズル２３の取り付け確認を実行してもよい。非常停止した場合はオペレータがカバーを開けて吸着ノズル２３を取り外している可能性があり、その際に吸着ノズル２３を取り付け忘れてしまっている可能性があるからである。どのような場合に吸着ノズル２３の取り付け確認を実行するかは適宜に決定することができる。
【００９６】
Ｓ５０１では、制御部５１は吸着ノズル２３の取り付け確認を実行する。吸着ノズル２３の取り付け確認では、制御部５１はノズル撮像カメラ１９によって実装ヘッド２１を水平方向から撮像し、吸着ノズル２３が取り付けられているか否かを撮像した画像から判断する。
Ｓ５０２では、制御部５１は吸着ノズル２３が取り付けられているか否かを判断し、吸着ノズル２３が取り付けられていない場合はＳ２０２に進み、取り付けられている場合は本処理を終了する。
Ｓ２０２〜Ｓ２０４及びＳ３０４の処理は前述したとおりであるので説明を省略する。
【００９７】
次に、図１４を参照して、「（ｅ）エア圧力センサ１８によって異常なシャフト内エア負圧が検出されたとき」について説明する。
ここで、エア圧力センサ１８によるシャフト内エア負圧の検出は、表面実装機１の運転開始時に毎回行ってもよいし、表面実装機１が停止している間にカバーが開けられた場合のみ運転開始時に行ってもよい。どのような場合にシャフト内エア負圧を検出するかは適宜に決定することができる。
【００９８】
Ｓ６０１では、制御部５１はエア圧力センサ１８によってシャフト内エア負圧を検出する。
Ｓ６０２では、制御部５１はシャフト内エア負圧が基準値未満の場合はＳ６０３に進み、基準値以上の場合は本処理を終了する。
Ｓ６０３では、制御部５１はノズルシャフト２２に装着されている吸着ノズル２３を取り外してノズルステーションに格納する。
Ｓ２０２〜Ｓ２０４及びＳ３０４の処理は前述したとおりであるので説明を省略する。
【００９９】
（６）実施形態の効果
以上説明した実施形態１に係る表面実装機１によると、ノズルシャフト２２に装着されているフィルタ３０の状態を判断することができる。
【０１００】
また、表面実装機１によると、ノズルシャフト２２の下側を向く開口２２Ａ（すなわちノズルシャフト２２の吸着ノズル２３が取り付けられる側の開口）からノズルシャフト２２の内部を撮像する。下側はフィルタ３０が汚れに晒される側であるので、ノズルシャフト２２の内部を下側の開口２２Ａから撮像すると、フィルタ３０の汚れの状態を精度よく判断することができる。
【０１０１】
また、表面実装機１によると、フィルタ３０が正常状態でないと判断した場合はフィルタ３０の異常を通知する処理及びフィルタ３０を自動交換する処理の少なくとも一方を実行する。例えばフィルタ３０の異常を通知する処理を実行する場合はフィルタ３０が異常状態であることをオペレータに知らせることができるので、フィルタ３０が異常状態のままで部品Ｅが吸装着されてしまうことによる吸装着不良を抑制することができる。また、フィルタ３０を自動交換する処理を実行する場合は、フィルタ３０を自動で交換することにより、フィルタ３０が異常状態のままで部品Ｅが吸装着されてしまうことによる吸装着不良を抑制することができる。
【０１０２】
また、表面実装機１によると、ノズルシャフト２２にフィルタ３０が装着されたときにフィルタチェックを実行するので、異常状態のフィルタ３０を用いて部品Ｅが実装されてしまわないようにすることができる。
【０１０３】
また、表面実装機１によると、吸着ノズル２３の吸着回数が設定回数に達したときにフィルタチェックを実行するので、異常状態のフィルタ３０が使用され続けてしまうことに制限をかけることができる。
【０１０４】
また、表面実装機１によると、オペレータによってフィルタチェックの実行を指示されたときにフィルタチェックを実行するので、オペレータはフィルタ３０が正常状態であるか異常状態であるかを必要に応じて表面実装機１に判断させることができる。
【０１０５】
また、表面実装機１によると、ノズルシャフト２２に吸着ノズル２３が取り付けられていないときにフィルタチェックを実行する。ノズルシャフト２２の内部を撮像するためには吸着ノズル２３を取り外す必要があるが、ノズルシャフト２２の内部を撮像するためだけに吸着ノズル２３を取り外すと効率が悪い。表面実装機１によると、何らかの理由で吸着ノズル２３が取り付けられていないときにフィルタチェックを実行することにより、吸着ノズル２３が正常状態であるか異常状態であるかを効率よく判断することができる。
【０１０６】
また、表面実装機１によると、エア圧力センサ１８によって異常なエア圧力（前述した基準値未満の圧力）が検出されたときにフィルタチェックを実行する。例えばフィルタ３０が取り付けられていない場合はエア圧力センサ１８によって異常なエア圧力が検出される。表面実装機１によると、異常なエア圧力が検出されたときにフィルタチェックを実行するので、異常状態のフィルタ３０を用いて部品Ｅが実装されてしまうことを抑制することができる。
【０１０７】
また、表面実装機１によると、検出した真円度と真円の真円度とを比較することにより、フィルタ３０の変形を判断することができる。
【０１０８】
また、表面実装機１によると、検出した直径（フィルタ３０の大きさ）とフィルタ３０が正常状態の場合に検出される直径とを比較することにより、フィルタ３０の異常状態が変形又は位置不良のいずれかであることを判断することができる。
【０１０９】
また、表面実装機１によると、検出した全体部画素濃度から、フィルタ３０の異常状態が取り付け忘れ又は汚れのいずれかであることを判断することができる。
【０１１０】
また、表面実装機１によると、検出した中央部画素濃度から、フィルタ３０の異常状態が上下反対、取り付け忘れ又は汚れのいずれかであることを判断することができる。
【０１１１】
また、表面実装機１によると、フィルタ３０の異常状態が取り付け忘れ又は汚れのいずれかである場合に、エア圧力センサ１８によって検出されたシャフト内エア負圧から、取り付け忘れであるか否かを判断することができる。
【０１１２】
＜実施形態２＞
次に、実施形態２を図１５によって説明する。実施形態２はフィルタの変形及び位置不良をそれぞれより詳細に分類したものである。
【０１１３】
図１５において「変形且つ直径不良」は、フィルタが変形しており、且つ、直径も不良となる異常状態である。すなわち「変形且つ直径不良」は実施形態１の「変形」に相当するものである。実施形態２に係る制御部５１は、真円度が不良であり、且つ、直径が正常状態の直径より小さい不良の場合は「変形且つ直径不良」と判断する。
「変形且つ直径良」はフィルタが変形しているが直径は良となる異常状態である。フィルタが変形していてもその変形の仕方によっては直径が良となる場合もあり得る。このため、制御部５１は、真円度が不良であり、且つ、直径が良の場合は「変形且つ直径良」と判断する。
【０１１４】
「位置不良（下）」はフィルタの上下方向の位置が正規の位置より下にある異常状態である。すなわち「位置不良（下）」は実施形態１の「位置不良」に相当するものである。制御部５１は、真円度が良であり、且つ、直径が正常状態の直径より大きい不良の場合は「位置不良（下）」と判断する。
「位置不良（上）」はフィルタの上下方向の位置が正規の位置より上にある異常状態である。フィルタを押し込み過ぎるとフィルタが正規の位置より上にある位置不良となることもあり得る。フィルタが正規の位置より上にある場合は直径が小さくなる。このため、制御部５１は、真円度が良であり、且つ、直径が正常状態の直径より小さい不良の場合は「位置不良（上）」と判断する。
【０１１５】
「位置不良（下）且つ変形」は、フィルタの上下方向の位置が正規の位置より下にあり、且つ、フィルタが変形している異常状態である。フィルタが変形していると真円度が不良となる。また、フィルタの上下方向の位置が正規の位置より下にあると直径が大きくなる。このため、制御部５１は、真円度が不良であり、且つ、直径が正常状態の直径より大きい不良の場合は「位置不良（下）且つ変形」と判断する。なお、真円度が不良であり、且つ、直径が正常状態の直径より小さい不良の場合は、制御部５１は前述した「変形且つ直径不良」と判断する。
【０１１６】
以上説明した実施形態２に係る表面実装機１によると、フィルタの異常状態をより詳細に判断することができる。
【０１１７】
＜他の実施形態＞
本明細書によって開示される技術は上記記述及び図面によって説明した実施形態に限定されるものではなく、例えば次のような実施形態も本明細書によって開示される技術的範囲に含まれる。
【０１１８】
（１）上記実施形態１では異常状態として５つの状態を例に説明したが、異常状態はこれらに限られるものではなく、画像に基づいて判断可能な異常状態であればこれら以外の異常状態を判断してもよい。あるいは、上述した５つの異常状態を全て判断するのではなく、いずれかの異常状態だけを判断してもよい。
【０１１９】
（２）上記実施形態ではカップ状のフィルタ３０を例に説明したが、フィルタ３０は必ずしもカップ状である必要はなく、例えば円盤状であってもよい。なお、その場合は中央部画素濃度の検出は不要である。
【０１２０】
（３）上記実施形態ではフィルタ３０を自動交換する場合を例に説明したが、オペレータがピンセットなどを用いて手作業でフィルタ３０を交換してもよい。ただし、その場合は変形、位置不良、取り付け忘れなどが生じ易くなる虞がある。
【０１２１】
（４）上記実施形態ではノズルシャフト２２の内部を下側の開口２２Ａ（ノズルシャフト２２の吸着ノズル２３が取り付けられる側の開口）から撮像する場合を例に説明した。これに対し、ノズルシャフト２２にはフィルタ取り外し用の開口２２Ｂも形成されているので、ノズル撮像カメラ１９によって開口２２Ｂからノズルシャフト２２の内部を撮像してもよい。
【０１２２】
（５）上記実施形態では「取り付け忘れ又は汚れ」のいずれかである場合にシャフト内エア負圧によって取り付け忘れであるか汚れであるかまで判断する場合を例に説明したが、取り付け忘れも汚れも異常状態であることに変わりはないので、どちらであるかまでは判断しないようにしてもよい。
【０１２３】
（６）上記実施形態ではフィルタチェックを実行するタイミングとして複数のタイミングを例に説明したが、フィルタチェックを実行するタイミングはこれらに限定されるものではなく、適宜のタイミングで実行することができる。
【０１２４】
（７）上記実施形態では吸着ノズルが取り付けられているか否かをノズル撮像カメラ１９によって判断する場合を例に説明したが、部品撮像カメラ１５によって判断してもよいし、カメラを用いずに他の方法で判断してもよい。
【０１２５】
（８）上記実施形態では表面実装機１がエア圧力センサ１８を備えている場合を例に説明したが、表面実装機１は必ずしもエア圧力センサ１８を備えていなくてもよい。
【０１２６】
（９）上記実施形態ではノズルシャフト２２の内部空間の断面が円形であり、それに合わせてフィルタ３０も断面が円形である場合を例に説明した。しかしながら、ノズルシャフト２２の内部空間の断面は円形に限られるものではなく、例えば四角であってもよい。その場合はフィルタの断面も四角に形成されることになる。そして、その場合はフィルタの変形の程度を表す指標としては真円度以外の指標が用いられることになる。すなわち、フィルタの変形の程度を表す指標は真円度に限られるものではなく、フィルタの形状に応じて適宜の指標を用いることができる。
【符号の説明】
【０１２７】
１…表面実装機、１５…部品撮像カメラ（撮像部の一例）、１８…エア圧力センサ、１９…ノズル撮像カメラ、２２…ノズルシャフト、２２Ａ…開口（ノズルシャフトの前記吸着ノズルが取り付けられる側の開口の一例）、２３…吸着ノズル、２４…ビーム、３０…フィルタ、５１…制御部、Ｅ…部品
【図１】
0006794529.tif 000004
【図２】
0006794529.tif 000005
【図３】
0006794529.tif 000006
【図４】
0006794529.tif 000007
【図５】
0006794529.tif 000008
【図６】
0006794529.tif 000009
【図７】
0006794529.tif 000010
【図８】
0006794529.tif 000011
【図９】
0006794529.tif 000012
【図１０】
0006794529.tif 000013
【図１１】
0006794529.tif 000014
【図１２】
0006794529.tif 000015
【図１３】
0006794529.tif 000016
【図１４】
0006794529.tif 000017
【図１５】
0006794529.tif 000018